(57)【要約】  空気調和装置の室内機は、背面筐体と、背面筐体の下部に第１回動軸を有し、背面筐体に取り付けられる第１天面パネルと、を備え、第１天面パネルは、背面筐体に対して第１回動軸を中心に下開きして取り外し自在である。
2019220566.tif 000002
【特許請求の範囲】
【請求項１】
背面筐体と、
前記背面筐体の下部に第１回動軸を有し、前記背面筐体に取り付けられる第１天面パネルと、
を備え、
前記第１天面パネルは、前記背面筐体に対して前記第１回動軸を中心に下開きして取り外し自在である空気調和装置の室内機。
【請求項２】
電気品箱を備え、
前記第１天面パネルの下開き時には、動線となる下開き回動軌跡領域が形成され、
前記電気品箱の上部は、前記下開き回動軌跡領域を避けて正面側を背面側よりも低く形成される請求項１に記載の空気調和装置の室内機。
【請求項３】
熱交換器を備え、
前記電気品箱は、前記熱交換器の左右方向の一端に並列して設けられ、
前記第１天面パネルは、前記熱交換器の左右幅の範囲外に第１上面部を有する請求項２に記載の空気調和装置の室内機。
【請求項４】
前記第１上面部は、前記電気品箱の上方に設けられる請求項３に記載の空気調和装置の室内機。
【請求項５】
前記第１天面パネルは、筐体の左右の側面部を有し、
前記第１上面部は、左右の前記側面部のどちらか一方に繋がる請求項３又は４に記載の空気調和装置の室内機。
【請求項６】
前記第１天面パネルは、下部に第１正面部と下面部とを繋ぐ屈曲部を有し、
前記電気品箱は、下部にリモコン通信部を有し、
前記リモコン通信部は、前記第１天面パネルの前記屈曲部の内側に配置される請求項２〜５のいずれか１項に記載の空気調和装置の室内機。
【請求項７】
前記屈曲部は、Ｌ字形状である請求項６に記載の空気調和装置の室内機。
【請求項８】
前記背面筐体の上部に第２回動軸を有し、前記第１天面パネルの内側に重なる第２天面パネルを備え、
前記第２天面パネルは、前記背面筐体に対して前記第２回動軸を中心に上開きして取り外し自在である請求項１〜７のいずれか１項に記載の空気調和装置の室内機。
【請求項９】
前記第２天面パネルの前記第２回動軸の部分は、前記背面筐体と爪係合する請求項８に記載の空気調和装置の室内機。
【請求項１０】
前記第２天面パネルは、前記熱交換器の左右幅の範囲内に吸込口となる格子状の第２上面部を有する請求項８又は９に記載の空気調和装置の室内機。
【請求項１１】
前記第２天面パネルは、前記第２上面部と同じ左右幅で繋がる第２正面部を有する請求項１０に記載の空気調和装置の室内機。
【請求項１２】
請求項１〜１１のいずれか１項に記載の空気調和装置の室内機を備える空気調和装置。
【発明の詳細な説明】
【技術分野】
【０００１】
本発明は、背面筐体に対して取り付けられる天面パネルを備えた空気調和装置の室内機及び空気調和装置に関する。
【背景技術】
【０００２】
従来、破損などによって室内機の筐体における天面パネルの交換が必要になった場合には、天面パネルが取り外し時に上部奥の背面側端部を回動軸の支点として上開きさせて取り外される（たとえば、特許文献１参照）。
【先行技術文献】
【特許文献】
【０００３】
【特許文献１】特開２０１５−３１４５４号公報
【発明の概要】
【発明が解決しようとする課題】
【０００４】
特許文献１の技術では、天面パネルの下部に位置するリモコン通信部が取り外される天面パネルの回動する動線となる回動軌跡領域を避けて室内機の形状デザインが設計される必要があった。【０００５】
本発明は、上記課題を解決するためのものであり、室内機の下部に位置するリモコン通信部に対する形状デザインの制限がなくなる空気調和装置の室内機及び空気調和装置を提供することを目的とする。
【課題を解決するための手段】
【０００６】
本発明に係る空気調和装置の室内機は、背面筐体と、前記背面筐体の下部に第１回動軸を有し、前記背面筐体に取り付けられる第１天面パネルと、を備え、前記第１天面パネルは、前記背面筐体に対して前記第１回動軸を中心に下開きして取り外し自在であるものである。【０００７】
本発明に係る空気調和装置は、上記の空気調和装置の室内機を備えるものである。
【発明の効果】
【０００８】
本発明に係る空気調和装置の室内機及び空気調和装置によれば、第１天面パネルは、背面筐体に対して第１回動軸を中心に下開きして取り外し自在である。ここで、下開きとは、第１天面パネルを背面筐体に対して背面筐体の下部の第１回動軸を中心に下方に向けて回動させることをいう。そのため、第１天面パネルの下部に位置するリモコン通信部が、取り外される第１天面パネルの回動軌跡とは無関係となる室内機の形状デザインが施せる。したがって、室内機の形状デザインの制限がなくなる。
【図面の簡単な説明】
【０００９】
【図１】本発明の実施の形態１に係る空気調和装置を示す冷媒回路図である。
【図２】本発明の実施の形態１に係る空気調和装置の室内機を示す外観斜視図である。
【図３】本発明の実施の形態１に係る空気調和装置の室内機を示す長手方向中央付近の縦断面図である。
【図４】本発明の実施の形態１に係る空気調和装置の室内機を示す分解斜視図である。
【図５】本発明の実施の形態１に係る空気調和装置の室内機における第１天面パネルと第２天面パネルとを示す分解斜視図である。
【図６】本発明の実施の形態１に係る空気調和装置の室内機を電気品箱の位置で示す縦断面図である。
【図７】本発明の実施の形態１に係る空気調和装置の室内機における電気品箱を示す斜視図である。
【図８】本発明の実施の形態１に係る空気調和装置の室内機における電気品箱を図７のＡ矢印の方向から示す正面図である。
【図９】本発明の実施の形態１に係る空気調和装置の室内機における電気品箱を図７のＢ矢印の方向から示す側面図である。
【図１０】本発明の実施の形態１に係る空気調和装置の室内機における第２天面パネルの爪係合構成を示す図３のＣ部の拡大図である。
【図１１】本発明の実施の形態１に係る空気調和装置の室内機における第２天面パネルの第１爪部を示す上面図である。
【図１２】本発明の実施の形態１に係る空気調和装置の室内機における背面筐体の第２爪部を示す斜視図である。
【図１３】本発明の実施の形態１に係る空気調和装置の室内機における背面筐体の第２爪部を図１２のＤ矢印の方向から示す正面図である。
【図１４】本発明の実施の形態１に係る空気調和装置の室内機における背面筐体の第２爪部を図１３のＥ−Ｅ線で示す縦断面図である。
【図１５】本発明の実施の形態１に係る空気調和装置の室内機における第１天面パネルが背面筐体から下開きする状態を示す斜視図である。
【図１６】本発明の実施の形態１に係る空気調和装置の室内機における第１天面パネルが背面筐体から下開きする状態を示す長手方向中央付近の縦断面図である。
【図１７】本発明の実施の形態１に係る空気調和装置の室内機における第１天面パネルが背面筐体から下開きする状態を電気品箱の位置で示す縦断面図である。
【図１８】従来例の空気調和装置の室内機を示す外観斜視図である。
【図１９】従来例の空気調和装置の室内機を示す縦断面図である。
【図２０】従来例の空気調和装置の室内機を示す分解斜視図である。
【図２１】従来例の空気調和装置の室内機における天面パネルを示す斜視図である。
【図２２】従来例の空気調和装置の室内機における天面パネルが背面筐体から上開きする状態を示す斜視図である。
【図２３】従来例の空気調和装置の室内機における天面パネルが背面筐体から上開きする状態を示す縦断面図である。
【図２４】仮想例の空気調和装置の室内機における第１天面パネルが背面筐体から上開きする状態を示す縦断面図である。
【発明を実施するための形態】
【００１０】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１１】
実施の形態１．
＜空気調和装置１００の構成＞
図１は、本発明の実施の形態１に係る空気調和装置１００を示す冷媒回路図である。図１に示す空気調和装置１００は、室外機１０１と室内機１０２とをガス冷媒配管１０３及び液冷媒配管１０４によって接続されている。
【００１２】
室外機１０１は、圧縮機１０５、四方弁１０６、室外熱交換器１０７及び膨張弁１０８を有する。
【００１３】
圧縮機１０５は、吸入した冷媒を圧縮して吐出する。圧縮機１０５は、たとえばインバータ回路などにより、運転周波数を任意に変化させ、圧縮機１０５の単位時間あたりの冷媒を送り出す容量を変化させてもよい。
【００１４】
四方弁１０６は、たとえば冷房運転時と暖房運転時とによって冷媒の流れを切り換える弁である。
【００１５】
室外熱交換器１０７は、冷媒と室外の空気との熱交換を行う。室外熱交換器１０７は、冷房運転時に凝縮器として機能し、冷媒を凝縮して液化させる。室外熱交換器１０７は、暖房運転時に蒸発器として機能し、冷媒を蒸発させて気化させる。
【００１６】
膨張弁１０８は、流量制御弁であり、冷媒を減圧して膨張させる。膨張弁１０８は、たとえば電子式膨張弁などで構成された場合には、図示しない制御装置などの指示に基づいて開度調整を行える。
【００１７】
室内機１０２は、室内熱交換器１０９を有する。室内熱交換器１０９は、たとえば空調対象の空気と冷媒との熱交換を行う。室内熱交換器１０９は、冷房運転時に蒸発器として機能し、冷媒を蒸発させて気化させる。室内熱交換器１０９は、暖房運転時に凝縮器として機能し、冷媒を凝縮して液化させる。
【００１８】
以上のように空気調和装置１００を構成することにより、室外機１０１の四方弁１０６によって冷媒の流れを切り換え、冷房運転又は暖房運転が実現できる。
【００１９】
＜空気調和装置１００の室内機１０２の構成＞
図２は、本発明の実施の形態１に係る空気調和装置１００の室内機１０２を示す外観斜視図である。図３は、本発明の実施の形態１に係る空気調和装置１００の室内機１０２を示す長手方向中央付近の縦断面図である。図４は、本発明の実施の形態１に係る空気調和装置１００の室内機１０２を示す分解斜視図である。
【００２０】
図２に示すように、空気調和装置１００の室内機１０２は、背面筐体１と、前面意匠パネル２と、第１天面パネル３と、第２天面パネル４と、を備える。背面筐体１と、前面意匠パネル２と、第１天面パネル３と、第２天面パネル４と、は、室内機１０２の筐体５を構成している。
【００２１】
図３、図４に示すように、空気調和装置１００の室内機１０２は、筐体５の内部に、室内熱交換器１０９と、送風ファン６と、ドレンパン部７と、電気品箱８と、を備える。室内熱交換器１０９と送風ファン６とドレンパン部７との正面から見て右側には、電気品箱８を並列させて設けている。
【００２２】
図４に示すように、背面筐体１は、壁掛式の室内機１０２が室内の壁に取り付けられたときの基部となる。背面筐体１は、室内機１０２の他の部品を支持する。背面筐体１には、室内熱交換器１０９と、送風ファン６と、ドレンパン部７と、電気品箱８と、が配置される区切った複数の空間領域を有する。背面筐体１の背面には、冷媒を室内と外部とに往復させるように、室内機１０２と室外機１０１とを繋ぐガス冷媒配管１０３及び液冷媒配管１０４が配置されている。
【００２３】
室内熱交換器１０９は、冷媒と室内空気との熱交換を行う。送風ファン６は、クロスフローファンなどであり、室内熱交換器１０９にて熱交換された調和空気を室内機１０２から吹き出すように送風する。ドレンパン部７は、室内熱交換器１０９にて熱交換時に発生する結露水を受け、ドレン水として室内機１０２から排出させる。ドレンパン部７は、室内機１０２の吹出口１４に配置される風向装置９を有する。風向装置９は、上下風向調整板及び左右風向調整板である。電気品箱８は、送風ファン６あるいは風向装置９などの制御を行う制御基板及び制御基板に通電する電源部を有する制御部８ａとリモコンと通信するリモコン通信部８ｂとを有する。
【００２４】
前面意匠パネル２は、第１天面パネル３の第１正面部３ａに取り付けられる。前面意匠パネル２は、外側の表面に意匠が施された板状部材である。
【００２５】
第１天面パネル３は、背面筐体１の下部に第１回動軸１０を有し、背面筐体１に取り付けられる。第１天面パネル３は、後述するように、背面筐体１に対して第１回動軸１０を中心に下開きして取り外し自在である。
【００２６】
第２天面パネル４は、背面筐体１の上部に第２回動軸１１を有し、第１天面パネル３の内側に重なる。第２天面パネル４は、後述するように、背面筐体１に対して第２回動軸１１を中心に上開きして取り外し自在である。図３に示すように、第２天面パネル４の第２回動軸１１の部分は、背面筐体１と爪係合する。爪係合構成１２の詳細は、後述する。
【００２７】
＜室内機１０２の動作概要＞
空気調和装置１００の室内機１０２では、送風ファン６によって上面の吸込口１３より室内空気が吸い込まれる。吸い込まれた室内空気は、室内熱交換器１０９によって熱交換して冷気又は暖気の調和空気となる。調和空気は、ドレンパン部７の風向装置９が配置された吹出口１４から室内へ送風され、室内温度を調整する。
【００２８】
＜第１天面パネル３の詳細＞
図５は、本発明の実施の形態１に係る空気調和装置１００の室内機１０２における第１天面パネル３と第２天面パネル４とを示す分解斜視図である。図５に示すように、第１天面パネル３は、第１正面部３ａと第１上面部３ｂと下面部３ｃと側面部３ｄとを有する。第１正面部３ａは、室内機１０２の正面側の四方の枠体に構成されている。２つの第１上面部３ｂは、室内熱交換器１０９の左右幅の範囲外の両側にそれぞれ設けられている。２つの第１上面部３ｂは、左右それぞれの側面部３ｄのどちらか一方に繋がっている。正面右側の第１上面部３ｂは、電気品箱８の上方に設けられている。下面部３ｃは、電気品箱８側の第１正面部３ａの下部を屈曲させた屈曲部１５を介して設けられている。屈曲部１５は、Ｌ字形状である。屈曲部１５には、内側にリモコン通信部８ｂが配置されている。屈曲部１５には、ＬＥＤなどによる表示部１６が設けられている。２つの側面部３ｄは、室内機１０２の筐体５の左右の側面部を構成している。
【００２９】
＜第２天面パネル４の詳細＞
図５に示すように、第２天面パネル４は、第２正面部４ａと第２上面部４ｂとを有する。第２正面部４ａは、室内機１０２の正面側の四方の枠体に構成されている。第２正面部４ａは、第２上面部４ｂに同じ左右幅で繋がっている。第２上面部４ｂは、室内熱交換器１０９の左右幅の範囲内に吸込口１３となる格子状に構成されている。
【００３０】
＜電気品箱８の詳細＞
図６は、本発明の実施の形態１に係る空気調和装置１００の室内機１０２を電気品箱８の位置で示す縦断面図である。図７は、本発明の実施の形態１に係る空気調和装置１００の室内機１０２における電気品箱８を示す斜視図である。図８は、本発明の実施の形態１に係る空気調和装置１００の室内機１０２における電気品箱８を図７のＡ矢印の方向から示す正面図である。図９は、本発明の実施の形態１に係る空気調和装置１００の室内機１０２における電気品箱８を図７のＢ矢印の方向から示す側面図である。
【００３１】
電気品箱８は、送風ファン６あるいは風向装置９などの制御を行う制御基板及び制御基板に通電する電源部を有する制御部８ａとリモコンと通信するリモコン通信部８ｂとを有する。図４に示すように、電気品箱８は、室内熱交換器１０９の左右方向の一端に並列して設けられている。図６〜図９に示すように、電気品箱８は、制御基板及び電源部を有する制御部８ａを上部に有する。電気品箱８は、リモコン通信部８ｂを下部に有する。リモコン通信部８ｂは、ＬＥＤなどの発光部を一体化して有する。
【００３２】
電気品箱８の上部は、正面側を背面側よりも低く斜面部８ｃに形成されている。電気品箱８の上部の斜面部８ｃは、下開き回動軌跡領域を避けている。下開き回動軌跡領域とは、第１天面パネル３の下開き時に、第１天面パネル３が物理的に移動する動線となる回動軌跡領域である。特に、第１天面パネル３は、正面右側の電気品箱８の上方に第１上面部３ｂを有する。このため、第１上面部３ｂが第１天面パネル３の下開き時に物理的に移動する動線となる下開き回動軌跡領域を電気品箱８の上部の斜面部８ｃによって回避している。
【００３３】
リモコン通信部８ｂは、Ｌ字形状の屈曲部１５の内側に配置されている。リモコン通信部８ｂは、リモコンとの通信を妨害されずに行うため、Ｌ字形状の屈曲部１５の内側に隙間なく接触している。そのため、リモコン通信部８ｂは、Ｌ字形状の屈曲部１５の相似形のＬ字形状の角部８ｄを有する。
【００３４】
＜第２天面パネル４の爪係合構成１２の詳細＞
図１０は、本発明の実施の形態１に係る空気調和装置１００の室内機１０２における第２天面パネル４の爪係合構成１２を示す図３のＣ部の拡大図である。図１１は、本発明の実施の形態１に係る空気調和装置１００の室内機１０２における第２天面パネル４の第１爪部１２ａを示す上面図である。図１２は、本発明の実施の形態１に係る空気調和装置１００の室内機１０２における背面筐体１の第２爪部１２ｂを示す斜視図である。図１３は、本発明の実施の形態１に係る空気調和装置１００の室内機１０２における背面筐体１の第２爪部１２ｂを図１２のＤ矢印の方向から示す正面図である。図１４は、本発明の実施の形態１に係る空気調和装置１００の室内機１０２における背面筐体１の第２爪部１２ｂを図１３のＥ−Ｅ線で示す縦断面図である。
【００３５】
図１０、図１１に示すように、第２天面パネル４の第２回動軸１１の部分は、背面筐体１と爪係合する第１爪部１２ａに構成されている。図１０、図１２〜図１４に示すように、背面筐体１は、第２天面パネル４と爪係合する第２爪部１２ｂを有する。図１０に示すように、第１爪部１２ａと第２爪部１２ｂとは、爪係合する。
【００３６】
図１１に示すように、第１爪部１２ａは、背面側に延び、先端部に返し付きの尖状部を有する。尖状部は、返しを上方に向けている。尖状部と第２天面パネル４の第１爪部１２ａの基部との間には、第２爪部１２ｂを収容する凹部を有する。凹部は、上方に開口している。
【００３７】
図１２〜図１４に示すように、第２爪部１２ｂは、背面筐体１の天面部１ａの下面に突出している。第２爪部１２ｂは、正面側の先端部から背面側の基部に向かって徐々に突出する傾斜面を有する。この傾斜面の背面側端が返しを構成している。第２爪部１２ｂの背面側は、背面筐体１の天面部１ａの肉厚だけとなり、第１爪部１２ａの尖状部を収容できる。
【００３８】
以上のように、第１爪部１２ａと第２爪部１２ｂは、背面筐体１に対して第２天面パネル４が正面側から押し込まれると、第１爪部１２ａ及び第２爪部１２ｂの双方の傾斜を滑り、第１爪部１２ａと第２爪部１２ｂとが双方の返しによって外れないように爪係合する。一方、第２天面パネル４は、背面筐体１に対して爪係合部分である第２回動軸１１を中心に上開きする。ここで、上開きとは、第２天面パネル４を背面筐体１に対して背面筐体１の上部の第２回動軸１１を中心に上方に向けて回動させることをいう。そして、第２天面パネル４が上方に移動する。そして、第１爪部１２ａの返しが第２爪部１２ｂの返しから外れ、第２天面パネル４が背面筐体１から取り外される。
【００３９】
＜第１天面パネル３の下開き動作＞
図１５は、本発明の実施の形態１に係る空気調和装置１００の室内機１０２における第１天面パネル３が背面筐体１から下開きする状態を示す斜視図である。図１６は、本発明の実施の形態１に係る空気調和装置１００の室内機１０２における第１天面パネル３が背面筐体１から下開きする状態を示す室内機の長手方向中央付近の縦断面図である。図１７は、本発明の実施の形態１に係る空気調和装置１００の室内機１０２における第１天面パネル３が背面筐体１から下開きする状態を電気品箱８の位置で示す縦断面図である。
【００４０】
図１５〜図１７に示すように、第１天面パネル３は、背面筐体１に対して背面筐体１の下部に位置する第１回動軸１０を中心に下開きできる。第１天面パネル３が下開きする。ここで、下開きとは、第１天面パネル３を背面筐体１に対して背面筐体１の下部の第１回動軸１０を中心に下方に向けて回動させることをいう。つまり、第１天面パネル３は、背面筐体１に対して背面筐体１の下部の第１回動軸１０を中心に、上部側ほど回動半径を大きくして下方に向けて回動する。そして、第１天面パネル３が下方に移動する。これにより、第１天面パネル３は、内部部品に接触せずに取り外しできる。なお、作業者が第１天面パネル３を下開きさせる前に、第１天面パネル３を背面筐体１の上部で固定しているネジ止めを取り外す必要がある。ネジ止めは、使用状態で第１天面パネル３が意図せず外れることを防止するためである。
【００４１】
第１回動軸１０の部分は、第２天面パネル４の爪係合構成１２と逆向きの同様な構成であると良い。すなわち、第１天面パネル３の爪部と背面筐体１の爪部は、背面筐体１に対して第１天面パネル３が正面側から押し込まれると、２つの爪部の双方の傾斜を滑り、２つの爪部とが双方の返しによって外れないように爪係合する。一方、第１天面パネル３は、背面筐体１に対して爪係合部分である第１回動軸１０を中心に下開きすると、第１天面パネル３が下方に移動する。そして、第１天面パネル３の爪部の返しが背面筐体１の爪部の返しから外れ、第１天面パネル３が背面筐体１から取り外される。
【００４２】
図１６に示すように、第１天面パネル３の下開き時には、室内熱交換器１０９の幅の範囲内に上面部が無い。このため、第１天面パネル３は、室内熱交換器１０９の幅の範囲内で内部部品と衝突する可能性は無い。
【００４３】
図１７に示すように、第１天面パネル３の下開き時には、第１上面部３ｂが第１天面パネル３の下開き時に物理的に移動する動線となる下開き回動軌跡領域が形成される。このため、電気品箱８の上部が正面側を背面側よりも低い斜面部８ｃに形成され、電気品箱８の上部の斜面部８ｃの傾斜が下開き回動軌跡領域を避けている。
【００４４】
また、図１５〜図１７に示すように、第１天面パネル３が下開きするので、第１天面パネル３にＬ字形状の屈曲部１５を下部に構成しても、第１天面パネル３の下開き回動軌跡領域を阻害しない。このため、壁掛式室内機において使用者の目に留まり易いリモコン通信部８ｂを含む室内機１０２の正面下部の形状の意匠性が高められる。
【００４５】
＜従来例＞
図１８は、従来例の空気調和装置１００の室内機１０２を示す外観斜視図である。図１９は、従来例の空気調和装置１００の室内機１０２を示す縦断面図である。図２０は、従来例の空気調和装置１００の室内機１０２を示す分解斜視図である。
【００４６】
従来例では、実施の形態１の空気調和装置１００の室内機１０２と同じ構成に同じ符号を付して説明を省略する。図１８〜図２０に示すように、従来例では、実施の形態１と異なり、天面パネル２０１が１つである。
【００４７】
図２１は、従来例の空気調和装置１００の室内機１０２における天面パネル２０１を示す斜視図である。図２１に示すように、図５の第１天面パネル３及び第２天面パネル４の２部品構成と比較し、従来例では天面パネル２０１が一体的に１つの部品に構成されている。
【００４８】
図２２は、従来例の空気調和装置１００の室内機１０２における天面パネル２０１が背面筐体１から上開きする状態を示す斜視図である。図２３は、従来例の空気調和装置１００の室内機１０２における天面パネル２０１が背面筐体１から上開きする状態を示す縦断面図である。
【００４９】
図２２、図２３に示すように、従来例の天面パネル２０１は、背面筐体１に対して爪係合部分である背面筐体１の上部に位置する第２回動軸１１を中心に上開きすると、天面パネル２０１が上方に回動する。そして、実施の形態１の第１爪部１２ａの返しが第２爪部１２ｂから外れ、第２天面パネル４が背面筐体１から取り外されることと同様に、天面パネル２０１が取り外される。
【００５０】
＜仮想例＞
図２４は、仮想例の空気調和装置１００の室内機１０２における第１天面パネル３が背面筐体１から上開きする状態を示す縦断面図である。仮想例では、実施の形態１の空気調和装置１００の室内機１０２と同じ構成に同じ符号を付して説明を省略する。図２４に示すように、仮に、実施の形態１での第１天面パネル３が上開きされると、第１天面パネル３の屈曲部１５が描く回動軌跡領域１７に電気品箱８のリモコン通信部８ｂが衝突し、第１天面パネル３の回動が阻害される。このため、従来例のように、天面パネル２０１の回動を阻害しないように、天面パネル２０１の下部が曲面形状に形成されていた。このように、従来例では、天面パネル２０１の下部の形状デザインに制限があった。そのため、壁掛式室内機において使用者の目に留まり易いリモコン通信部８ｂを含む室内機１０２の正面下部の形状デザインが制限されていた。上記実施の形態１の空気調和装置１００の室内機１０２は、この課題を解決している。
【００５１】
＜実施の形態１の効果＞
実施の形態１によれば、空気調和装置１００の室内機１０２は、背面筐体１を備える。空気調和装置１００の室内機１０２は、背面筐体１の下部に第１回動軸１０を有し、背面筐体１に取り付けられる第１天面パネル３を備える。第１天面パネル３は、背面筐体１に対して第１回動軸１０を中心に下開きして取り外し自在である。
【００５２】
この構成によれば、第１天面パネル３の下部に位置するリモコン通信部８ｂが取り外される第１天面パネル３の回動軌跡とは無関係となる室内機１０２の形状デザインが施せる。このため、壁掛式室内機において使用者の目に留まり易いリモコン通信部８ｂを含む室内機１０２の正面下部の形状デザインが美しくなる。このように、室内機１０２の形状デザインの制限がなくなる。
【００５３】
実施の形態１によれば、空気調和装置１００の室内機１０２は、電気品箱８を備える。第１天面パネル３の下開き時には、動線となる下開き回動軌跡領域が形成されている。電気品箱８の上部は、下開き回動軌跡領域を避けて正面側を背面側よりも低く斜面部８ｃに形成されている。
【００５４】
この構成によれば、第１天面パネル３が背面筐体１に対して第１回動軸１０を中心に下開きして取り外し自在である。このため、電気品箱８の上部が第１天面パネル３の下開き回動軌跡領域の動線を妨害する可能性がある。そのため、電気品箱８の上部が正面側を背面側よりも低い斜面部８ｃに形成され、電気品箱８の上部が第１天面パネル３の下開き回動軌跡領域を避けている。
【００５５】
実施の形態１によれば、空気調和装置１００の室内機１０２は、熱交換器を備える。電気品箱８は、室内熱交換器１０９の左右方向の一端に並列して設けられている。第１天面パネル３は、室内熱交換器１０９の左右幅の範囲外に第１上面部３ｂを有する。
【００５６】
この構成によれば、第１上面部３ｂが室内熱交換器１０９の左右幅の範囲外にて第１天面パネル３の下開き回動軌跡領域を形成し、第１上面部３ｂが内部部品である電気品箱８と衝突する可能性がある。そのため、電気品箱８の上部が正面側を背面側よりも低い斜面部８ｃに形成され、電気品箱８の上部が第１天面パネル３の第１上面部３ｂの下開き回動軌跡領域を避けている。
【００５７】
実施の形態１によれば、第１上面部３ｂは、電気品箱８の上方に設けられている。
【００５８】
この構成によれば、第１上面部３ｂが電気品箱８の上部にて第１天面パネル３の下開き回動軌跡領域を形成し、第１上面部３ｂと電気品箱８とが衝突する可能性がある。そのため、電気品箱８の上部が正面側を背面側よりも低い斜面部８ｃに形成され、電気品箱８の上部が第１天面パネル３の第１上面部３ｂの下開き回動軌跡領域を避けている。
【００５９】
実施の形態１によれば、第１天面パネル３は、筐体５の左右の側面部３ｄを有する。第１上面部３ｂは、左右の側面部３ｄのどちらか一方に繋がっている。
【００６０】
この構成によれば、第１天面パネル３が筐体５の左右の側面部３ｄを有して前側の筐体５を構成している。そして、第１上面部３ｂが左右の側面部３ｄのどちらか一方に繋がることにより、第１天面パネル３の強度が向上できる。
【００６１】
実施の形態１によれば、第１天面パネル３は、下部に第１正面部３ａと下面部３ｃとを繋ぐ屈曲部１５を有する。電気品箱８は、下部にリモコン通信部８ｂを有する。リモコン通信部８ｂは、第１天面パネル３の屈曲部１５の内側に配置されている。
【００６２】
この構成によれば、リモコン通信部８ｂが第１天面パネル３の屈曲部１５の内側に配置され、リモコン通信部８ｂがリモコンとの通信を妨害されずに行える。また、屈曲部１５が壁掛式室内機において使用者の目に留まり易いリモコン通信部８ｂを含む室内機１０２の正面下部の形状デザインが多様な形状にして意匠性が高められる。
【００６３】
実施の形態１によれば、屈曲部１５は、Ｌ字形状である。
【００６４】
この構成によれば、Ｌ字形状の屈曲部１５が壁掛式室内機において使用者の目に留まり易いリモコン通信部８ｂを含む室内機１０２の正面下部の形状デザインをＬ字形状に美しくする。
【００６５】
実施の形態１によれば、空気調和装置１００の室内機１０２は、背面筐体１の上部に第２回動軸１１を有し、第１天面パネル３の内側に重なる第２天面パネル４を備える。第２天面パネル４は、背面筐体１に対して第２回動軸１１を中心に上開きして取り外し自在である。
【００６６】
この構成によれば、室内機１０２が第２天面パネル４を備えることにより、前側の筐体５として第１天面パネル３に不足する部分が第２天面パネル４によって補える。
【００６７】
実施の形態１によれば、第２天面パネル４の第２回動軸１１の部分は、背面筐体１と爪係合する。
【００６８】
この構成によれば、爪係合によって第２天面パネル４が第１天面パネル３の内側に重なって背面筐体１の上部の第２回動軸１１を介して上開きして容易に取り外し自在である。
【００６９】
実施の形態１によれば、第２天面パネル４は、室内熱交換器１０９の左右幅の範囲内に吸込口１３となる格子状の第２上面部４ｂを有する。
【００７０】
この構成によれば、前側の筐体５として第１天面パネル３に不足する吸込口１３となる格子状の第２上面部４ｂが第２天面パネル４によって補える。
【００７１】
実施の形態１によれば、第２天面パネル４は、第２上面部４ｂと同じ左右幅で繋がる第２正面部４ａを有する。
【００７２】
この構成によれば、第２天面パネル４が第２上面部４ｂ以外に第２正面部４ａで左右端部側と繋がり、第２天面パネル４の強度が向上できる。
【００７３】
実施の形態１によれば、空気調和装置１００は、上記の空気調和装置１００の室内機１０２を備える。
【００７４】
この構成によれば、空気調和装置１００の室内機１０２を備える空気調和装置１００では、第１天面パネル３の下部に位置するリモコン通信部８ｂが取り外される第１天面パネル３の回動軌跡とは無関係となる室内機１０２の形状デザインが施せる。このため、壁掛式室内機において使用者の目に留まり易いリモコン通信部８ｂを含む室内機１０２の正面下部の形状デザインが美しくなる。このように、室内機１０２の形状デザインの制限がなくなる。
【符号の説明】
【００７５】
１  背面筐体、１ａ  天面部、２  前面意匠パネル、３  第１天面パネル、３ａ  第１正面部、３ｂ  第１上面部、３ｃ  下面部、３ｄ  側面部、４  第２天面パネル、４ａ  第２正面部、４ｂ  第２上面部、５  筐体、６  送風ファン、７  ドレンパン部、８  電気品箱、８ａ  制御部、８ｂ  リモコン通信部、８ｃ  斜面部、８ｄ  角部、９  風向装置、１０  第１回動軸、１１  第２回動軸、１２  爪係合構成、１２ａ  第１爪部、１２ｂ  第２爪部、１３  吸込口、１４  吹出口、１５  屈曲部、１６  表示部、１７  回動軌跡領域、１００  空気調和装置、１０１  室外機、１０２  室内機、１０３  ガス冷媒配管、１０４  液冷媒配管、１０５  圧縮機、１０６  四方弁、１０７  室外熱交換器、１０８  膨張弁、１０９  室内熱交換器、２０１  天面パネル。
【図１】
2019220566.tif 000003
【図２】
2019220566.tif 000004
【図３】
2019220566.tif 000005
【図４】
2019220566.tif 000006
【図５】
2019220566.tif 000007
【図６】
2019220566.tif 000008
【図７】
2019220566.tif 000009
【図８】
2019220566.tif 000010
【図９】
2019220566.tif 000011
【図１０】
2019220566.tif 000012
【図１１】
2019220566.tif 000013
【図１２】
2019220566.tif 000014
【図１３】
2019220566.tif 000015
【図１４】
2019220566.tif 000016
【図１５】
2019220566.tif 000017
【図１６】
2019220566.tif 000018
【図１７】
2019220566.tif 000019
【図１８】
2019220566.tif 000020
【図１９】
2019220566.tif 000021
【図２０】
2019220566.tif 000022
【図２１】
2019220566.tif 000023
【図２２】
2019220566.tif 000024
【図２３】
2019220566.tif 000025
【図２４】
2019220566.tif 000026
【手続補正書】
【提出日】令和2年9月11日(2020.9.11)
【手続補正１】
【補正対象書類名】明細書
【補正対象項目名】０００６
【補正方法】変更
【補正の内容】
【０００６】
本発明に係る空気調和装置の室内機は、背面筐体と、前記背面筐体の下部に第１回動軸を有し、前記背面筐体に取り付けられる第１天面パネルと、を備え、前記第１天面パネルは、前記背面筐体に対して前記第１回動軸を中心に下開きして取り外し自在であり、電気品箱を備え、前記第１天面パネルの下開き時には、動線となる下開き回動軌跡領域が形成され、前記電気品箱の上部は、前記下開き回動軌跡領域を避けて正面側を背面側よりも低く形成され、前記第１天面パネルは、下部に第１正面部と下面部とを繋ぐ屈曲部を有し、前記電気品箱は、下部にリモコン通信部を有し、前記リモコン通信部は、前記第１天面パネルの前記屈曲部の内側に配置されるものである。
【手続補正２】
【補正対象書類名】特許請求の範囲
【補正対象項目名】全文
【補正方法】変更
【補正の内容】
【特許請求の範囲】
【請求項１】
背面筐体と、
前記背面筐体の下部に第１回動軸を有し、前記背面筐体に取り付けられる第１天面パネルと、
を備え、
前記第１天面パネルは、前記背面筐体に対して前記第１回動軸を中心に下開きして取り外し自在であり、
電気品箱を備え、
前記第１天面パネルの下開き時には、動線となる下開き回動軌跡領域が形成され、
前記電気品箱の上部は、前記下開き回動軌跡領域を避けて正面側を背面側よりも低く形成され、
前記第１天面パネルは、下部に第１正面部と下面部とを繋ぐ屈曲部を有し、
前記電気品箱は、下部にリモコン通信部を有し、
前記リモコン通信部は、前記第１天面パネルの前記屈曲部の内側に配置される空気調和装置の室内機。
【請求項２】
背面筐体と、
前記背面筐体の下部に第１回動軸を有し、前記背面筐体に取り付けられる第１天面パネルと、
を備え、
前記第１天面パネルは、前記背面筐体に対して前記第１回動軸を中心に下開きして取り外し自在であり、
前記背面筐体の上部に第２回動軸を有し、前記第１天面パネルの内側に重なる第２天面パネルを備え、
前記第２天面パネルは、前記背面筐体に対して前記第２回動軸を中心に上開きして取り外し自在である空気調和装置の室内機。
【請求項３】
電気品箱を備え、
前記第１天面パネルの下開き時には、動線となる下開き回動軌跡領域が形成され、
前記電気品箱の上部は、前記下開き回動軌跡領域を避けて正面側を背面側よりも低く形成される請求項２に記載の空気調和装置の室内機。
【請求項４】
熱交換器を備え、
前記電気品箱は、前記熱交換器の左右方向の一端に並列して設けられ、
前記第１天面パネルは、前記熱交換器の左右幅の範囲外に第１上面部を有する請求項１又は請求項３に記載の空気調和装置の室内機。
【請求項５】
前記第１上面部は、前記電気品箱の上方に設けられる請求項４に記載の空気調和装置の室内機。
【請求項６】
前記第１天面パネルは、筐体の左右の側面部を有し、
前記第１上面部は、左右の前記側面部のどちらか一方に繋がる請求項４又は請求項５に記載の空気調和装置の室内機。
【請求項７】
前記第１天面パネルは、下部に第１正面部と下面部とを繋ぐ屈曲部を有し、
前記電気品箱は、下部にリモコン通信部を有し、
前記リモコン通信部は、前記第１天面パネルの前記屈曲部の内側に配置される請求項２又は請求項２に従属する請求項３〜請求項６のいずれか１項に記載の空気調和装置の室内機。
【請求項８】
前記屈曲部は、Ｌ字形状である請求項１又は請求項７に記載の空気調和装置の室内機。
【請求項９】
前記第２天面パネルの前記第２回動軸の部分は、前記背面筐体と爪係合する請求項２又は請求項２に従属する請求項３〜請求項８のいずれか１項に記載の空気調和装置の室内機。
【請求項１０】
前記第２天面パネルは、熱交換器の左右幅の範囲内に吸込口となる格子状の第２上面部を有する請求項２又は請求項２に従属する請求項３〜請求項９のいずれか１項に記載の空気調和装置の室内機。
【請求項１１】
前記第２天面パネルは、前記第２上面部と同じ左右幅で繋がる第２正面部を有する請求項１０に記載の空気調和装置の室内機。
【請求項１２】
請求項１〜１１のいずれか１項に記載の空気調和装置の室内機を備える空気調和装置。
【国際調査報告】
2019220566.tif 000027
2019220566.tif 000028
2019220566.tif 000029